(57)【要約】【課題】粉末状農薬をダクト内投入散布法により散布する場合において、投入口周囲のダクト底部で粉末状農薬が堆積し付着することを防止でき、該粉末状農薬を無駄なく散布することでその使用量を軽減できる。【解決手段】農薬散布装置１は、粉末状農薬離散手段３が設けられた筒状体２と、該筒状体２内部に粉末状農薬を所定量ずつ計量して投入する農薬計量手段４とを備えており、粉末状農薬離散手段３は、筒状体２のダクト内に送り込まれる風の入り口側一端部である開口部２ｂの周縁下部２ｄに固定されるとともに、風の出口側である開口部２ａ側に延びている該筒状体の長さ以上の紐状体３ａと、この紐状体３ａの末端に取り付けられた板状体３ｂとからなる。【選択図】図１
2007097531.tif 000002
【特許請求の範囲】
【請求項１】
ダクト内に設置され、このダクト内に送り込まれる風の前後方向に開口部を有する筒状体と、この筒状体の上部に粉末状農薬を投入する投入口とを有し、風の力によって前記粉末状農薬を前記開口部から散布する逆Ｔ字形状の農薬散布装置であって、
該農薬散布装置は、前記筒状体の前記ダクト内に送り込まれる風の入り口側一端部に固定されるとともに、風の出口側方向に延びている該筒状体の長さ以上の紐状体と、この紐状体の末端に取り付けられた板状体とからなる粉末状農薬離散手段を有し、
前記板状体が風を受けて揺動することに連動して揺動する前記紐状体により、前記筒状体内部に蓄積される粉末状農薬を離散して散布させることを特徴とする農薬散布装置。
【請求項２】
前記投入口に前記粉末状農薬の所定量を計量して投入する農薬計量手段を備えてなることを特徴とする請求項１記載の農薬散布装置。
【請求項３】
前記農薬計量手段は、撹拌翼および底面に貫通孔を有する農薬収納部と、所定容積の計量孔を有し、前記農薬収納部の下面に摺接して配置される計量板と、該農薬計量手段より粉末状農薬を排出する排出孔を有し、前記計量板の下面に摺接して配置される農薬排出部と、前記農薬収納部と前記計量板とを貫通して設けられ、前記撹拌翼および前記計量板に固定された回転軸とを備えてなり、
前記計量板は前記回転軸の回転に伴い回動し、該計量板の計量孔が、前記農薬収納部の貫通孔および前記農薬排出部の排出孔と、それぞれ異なるタイミングで一時的に連通することを特徴とする請求項２記載の農薬散布装置。
【請求項４】
前記撹拌翼は、前記農薬収納部の内底面に弾性変形しつつ摺接し、前記貫通孔の部分において該農薬収納部の内底面より突出する爪部を有し、
前記農薬収納部は、前記計量板の上面に弾性変形しつつ摺接し、前記計量孔の部分において該計量板の上面より突出する爪部を有することを特徴とする請求項３記載の農薬散布装置。
【発明の詳細な説明】
【技術分野】
【０００１】
本発明は、粉末状農薬を効率よく散布する農薬散布装置に関し、特に既設の暖房機用ダクト等の送風装置を利用した風力による農薬散布装置に関する。
【背景技術】
【０００２】
農薬は、圃場に生える雑草の除去や、農作物を荒らす病害虫の駆除等に使用され、近代農業には欠かせないものとなっている。近年では、消費者の安全・安心志向から、自然界より分離した安全な微生物等を有効成分とする農薬が開発されている。
これらの農薬、例えば粉末状農薬をハウス内において散布する場合、ハウス内全域に粉末状農薬を略均一に散布でき、農薬の使用量および散布労力を軽減できる方法として、ダクト内投入散布法が用いられる場合がある。これは、ハウス内に設置されている温風機等のダクトを利用し、該ダクト内に粉末状の農薬を所定量ずつ直接投入することにより、ダクト内で温風機の風により農薬を搬送しハウス内に略均一に散布する方法である。従来、このように農薬を送風装置等による風力を用いて拡散させて散布させる方法の一例が開示されている（特許文献１参照）。
【０００３】
しかしながら、粉末状農薬のダクト内投入散布法では、農薬投入口周囲のダクト底部で粉末状農薬が堆積し付着するという問題がある。これは、ハウスの大きさに対して送風機が小さい、または、子ダクトの本数が多く十分な風速が確保できない場合のように、投入部位での風速が弱いことや、一般的に送風機の停止中に農薬を投入するが、投入部位下の接地面が窪んでいる等のため農薬に風が当たらないことや、ダクト底部の結露水等により吸湿して凝集すること等に起因するものである。
また、ダクト内投入散布法において、作業者が人為的にスプーン等で粉末状農薬を投入する場合では、作業者が作業時に農薬を吸引し易いという問題や、農薬の定量的な投入が困難であるという問題がある。
これに対し、農薬の投入を機械的な計量手段により行なう方法（特許文献２参照）も開示されているが、この方法では上記の人為的な作業による問題は解決できるものの、上述した農薬投入口周囲のダクト底部で粉末状農薬が堆積し付着する問題を解決するには十分ではない。
【特許文献１】特開２００１−３０２４０７号公報
【特許文献２】特開２００５−１１７９２９号公報
【発明の開示】
【発明が解決しようとする課題】
【０００４】
本発明はこのような問題に対処するためになされたもので、粉末状農薬をダクト内投入散布法により散布する場合において、投入口周囲のダクト底部で粉末状農薬が堆積し付着することを防止でき、該粉末状農薬を無駄なく散布することでその使用量を軽減できる農薬散布装置を提供することを目的とする。
【課題を解決するための手段】
【０００５】
本発明の農薬散布装置は、ダクト内に設置され、このダクト内に送り込まれる風の前後方向に開口部を有する筒状体と、この筒状体の上部に粉末状農薬を投入する投入口とを有し、風の力によって上記粉末状農薬を上記開口部から散布する逆Ｔ字形状の農薬散布装置であって、該農薬散布装置は、上記筒状体の上記ダクト内に送り込まれる風の入り口側一端部に固定されるとともに、風の出口側方向に延びている該筒状体の長さ以上の紐状体と、この紐状体の末端に取り付けられた板状体とからなる粉末状農薬離散手段を有し、上記板状体が風を受けて揺動することに連動して揺動する上記紐状体により、上記筒状体内部に蓄積される粉末状農薬を離散して散布させることを特徴とする。
【０００６】
上記投入口に上記粉末状農薬の所定量を計量して投入する農薬計量手段を備えてなることを特徴とする。
【０００７】
上記農薬計量手段は、撹拌翼および底面に貫通孔を有する農薬収納部と、所定容積の計量孔を有し、上記農薬収納部の下面に摺接して配置される計量板と、該農薬計量手段より粉末状農薬を排出する排出孔を有し、上記計量板の下面に摺接して配置される農薬排出部と、上記農薬収納部と上記計量板とを貫通して設けられ、上記撹拌翼および上記計量板に固定された回転軸とを備えてなり、上記計量板は回転軸の回転に伴い回動し、該計量板の計量孔が、上記農薬収納部の貫通孔および上記農薬排出部の排出孔と、それぞれ異なるタイミングで一時的に連通することを特徴とする。
【０００８】
回転軸の回転に伴い計量板の計量孔が、農薬収納部の貫通孔と連通したときに、該計量孔に粉末状農薬が充填され、農薬収納部の貫通孔および農薬排出部の排出孔のいずれとも連通しないときに、該計量孔と農薬収納部下面と農薬排出部上面とで形成される容積、すなわち計量孔の容積として粉末状農薬が計量され、農薬排出部の排出孔と連通したときに、該排出孔から粉末状農薬が排出されて、筒状体の投入口から筒状体内部に該粉末状農薬が投入される。
【０００９】
上記撹拌翼は、農薬収納部の内底面に弾性変形しつつ摺接し、上記貫通孔の部分において該農薬収納部の内底面より突出する爪部を有し、上記農薬収納部は、計量板の上面に弾性変形しつつ摺接し、上記計量孔の部分において該計量板の上面より突出する爪部を有することを特徴とする。
【発明の効果】
【００１０】
本発明の農薬散布装置は、ダクト内に送り込まれる風の前後方向に開口部を有する筒状体と、この筒状体の上部に粉末状農薬を投入する投入口とを有し、風の力によって粉末状農薬を開口部から散布する逆Ｔ字形状の農薬散布装置であって、筒状体のダクト内に送り込まれる風の入り口側一端部に固定されるとともに、風の出口側方向に延びている該筒状体の長さ以上の紐状体と、この紐状体の末端に取り付けられた板状体とからなる粉末状農薬離散手段を有するので、粉末状農薬は、直接ダクト内に投入するのではなく、一旦投入口より筒状体内部に投入され蓄積された後、板状体が風を受けて揺動することに連動して揺動する紐状体により離散されつつ散布される。この結果、粉末状農薬がダクト内部に付着して残存することを防止でき、投入分の農薬を無駄なく使用できるので、農薬使用量を軽減することができる。
【００１１】
筒状体の投入口に粉末状農薬の所定量を計量して投入する農薬計量手段を備えてなるので、作業者が人為的にスプーン等で粉末状農薬を投入する場合よりも、農薬を正確に所定量計量することができる。また、作業者が農薬を吸引する等の危険性がなくなる。
【００１２】
農薬計量手段は、撹拌翼および底面に貫通孔を有する農薬収納部と、所定容積の計量孔を有し、農薬収納部の下部に摺接して配置される計量板と、該農薬計量手段より粉末状農薬を排出する排出孔を有し、計量板の下部に摺接して配置される農薬排出部と、農薬収納部と計量板とを貫通して設けられ、撹拌翼および計量板に固定された回転軸とを備えてなり、計量板は回転軸の回転に伴い回動し、該計量板の計量孔が、農薬収納部の貫通孔および農薬排出部の排出孔と、それぞれ異なるタイミングで一時的に連通するので、回転軸の回転に伴い計量板の計量孔が貫通孔と連通したときに、該計量孔に粉末状農薬が充填され、貫通孔および排出孔のいずれとも連通しないときに、該計量孔と農薬収納部下面と農薬排出部上面とで形成される容積、すなわち計量孔の容積として粉末状農薬が計量され、排出孔と連通したときに、該排出孔から粉末状農薬が排出されて、筒状体の投入口から筒状体内部に該粉末状農薬が投入される。この結果、該農薬計量手段により、粉末状農薬を計量孔の容積分だけ正確に計量して筒状体内部に投入することができる。
【００１３】
上記撹拌翼は、農薬収納部の内底面に弾性変形しつつ摺接し、上記貫通孔の部分において該農薬収納部の内底面より突出する爪部を有し、上記農薬収納部は、計量板の上面に弾性変形しつつ摺接し、上記計量孔の部分において該計量板の上面より突出する爪部を有するので、貫通孔、計量孔および排出孔の孔内面に付着する粉末状農薬を掻き落とすことができる。
【発明を実施するための最良の形態】
【００１４】
本発明の農薬散布装置を図１〜図３に基づき説明する。図１は農薬計量手段を備えた農薬散布装置の斜視図を、図２は農薬散布装置の筒状体を図１とは異なる方向からみた斜視図を、図３は該農薬散布装置の分解斜視図をそれぞれ示す。
図１に示すように、農薬散布装置１は、粉末状農薬離散手段３が設けられた筒状体２と、該筒状体２内部に粉末状農薬５を所定量ずつ計量して投入する農薬計量手段４とを備えている。
【００１５】
筒状体２は、ハウス内で温風機等に連結されたダクト（図示省略）内に設置され、該ダクト内に送り込まれる風の前後方向に開口部２ａおよび２ｂと、上部に粉末状農薬の投入口２ｃ（図２および図３参照）とを有する逆Ｔ字形状である。ここで、風の前後方向とは、ダクト内に流れる風において、風の上流を前、風の下流を後とする場合の該前後方向である。なお、筒状体２は、該開口部２ａおよび２ｂが風の略前後方向で、風が筒状体２内部を通過できるようにダクト内に設置すればよく、該開口部２ａおよび２ｂが風の前後方向と完全に同一となる方向でなくてもよい。例えば、開口部２ａおよび２ｂが水平で、風の前後方向と完全に同一となる位置から、左右または上下に若干傾斜していてもよい。また、開口部２ａおよび２ｂの開口幅は、それぞれを任意の大きさで形成できる。例えば、開口部２ａと２ｂとを同じ形状で同じ開口幅とする他、風の前方向の開口部を大きい開口幅とし、風の後方向の開口部を前方向よりも小さい開口幅としてもよい。
図２に示すように、筒状体２は、その上部に粉末状農薬を投入する投入口２ｃを有する。該投入口２ｃと上記の開口部２ａおよび２ｂとが連通しており、筒状体２の内部空間を形成している。投入口２ｃから投入された粉末状農薬５は、風が停止している状態において、開口部２ａと、開口部２ｂとの間の筒状体２の内底部に一時的に蓄積される。
【００１６】
図１および図２に示すように筒状体２には、粉末状農薬離散手段３が設けられる。粉末状農薬離散手段３は、筒状体２のダクト内に送り込まれる風の入り口側一端部である開口部２ｂの周縁下部２ｄに固定されるとともに、風の出口側である開口部２ａ側に延びている該筒状体２の長さ Ｌ 以上の紐状体３ａ（図２参照）と、この紐状体３ａの末端に取り付けられた板状体３ｂとからなる。
板状体３ｂが、ダクト内を流れる風を受けて揺動することに連動して、紐状体３ａが揺動し、該紐状体３ａにより筒状体２の内底部に堆積し蓄積されている粉末状農薬５を離散できる。例えば、山盛状の粉末状農薬５に紐状体３ａが揺動しつつ接触して崩すことや、筒状体２の内底部に付着した粉末状農薬５に紐状体３ａが擦れることにより離散できる。なお、粉末状農薬が凝集している場合でも、紐状体３ａとの接触によりこれを離散できる。離散した粉末状農薬５は、筒状体２内部を通過する風に乗りやすくなり、該風によって主に風の出口側である開口部２ａから排出される。
【００１７】
紐状体３ａは、板状体３ｂの揺動に連動して揺動できる紐状の部材であればよく、天然素材製、ナイロン等の合成樹脂製、チェーン等の金属製等の任意の材質の紐を使用できる。また、紐状体３ａは、筒状体２の風の出口側である開口部２ａの外側で、板状体３ｂを支持する必要があることから、その長さは該筒状体２の長さ以上とする。
紐状体３ａの一端は、風の入り口側一端部に固定される。固定箇所としては、図２に示すように風の入り口側一端部である開口部２ｂの周縁下部２ｄが好ましい。該周縁下部２ｄに固定することで、紐状体３ａが筒状体２の内底部に沿って配置されるため、該内底部に付着した粉末状農薬５も離散できる。また、固定の方法は、板状体３ｂの風による揺動時においても、外れない固定方法であればよく、例えば、筒状体２に穴をあけて、紐状体３ａを該穴に通して結んで固定する方法等がある。
【００１８】
板状体３ｂは、ダクト内を流れる風を受けて揺動できる形状であればよく、図１〜図３に示す長方形形状の他、楕円形状等であってもよい。板状体３ｂの材質としては、合成樹脂製、金属製等の任意のものを使用できる。軽くて揺動しやすく、錆等の問題がないことから合成樹脂製の板体を使用することが好ましい。上記板状体３ｂの形状や、その大きさ、材質はダクト内の風力等の周辺条件を勘案して粉末状農薬を離散させるのに十分な揺動が可能となるよう適宜決定する。なお、板状体３ｂと紐状体３ａとの固定方法は、上記紐状体３ａと筒状体２との固定方法と同様である。
【００１９】
以上のような農薬散布装置を用いることにより、ダクト内に直接農薬を投入する場合に問題となる投入口周囲のダクト底部で粉末状農薬が堆積し付着することを防止できる。また、一旦筒状体で粉末状農薬を蓄積し、これを上記のような粉末状農薬離散手段で離散させつつ該筒状体からダクト内に排出するので、粉末状農薬を凝集していない状態でダクト内に飛散させることができ、筒状体から排出後のダクト内の任意箇所における農薬の付着も抑制できる。この結果、投入分の農薬を無駄なく使用できるので、ハウス内において所定の農薬効果を得るために必要な農薬使用量を、ダクトに直接農薬を投入する場合と比較して軽減することができる。
【００２０】
筒状体２の投入口２ｃに粉末状農薬５の所定量を計量して投入する農薬計量手段４を、図１、図３および図４に基づいて説明する。図４は、農薬計量手段の断面図である。
図３に示すように、農薬計量手段４は、撹拌翼１０および底面に貫通孔６ａを有する農薬収納部６と、所定容積の計量孔７ａを有し、農薬収納部６の下面に摺接して配置される計量板７と、該農薬計量手段より粉末状農薬を排出する排出孔８ａを有し、計量板７の下面に摺接して配置される農薬排出部８と、農薬収納部８と計量板７とを貫通して設けられ、撹拌翼１０および計量板７に固定された回転軸９とを備えてなる。図３に示すように、計量板７は農薬排出部８に摺動可能に嵌め込まれ、農薬収納部６と農薬排出部８とがネジ等で直接連結される。
また、農薬収納部６の外部で回転軸９の上端に、該回転軸を回すためのレバー１１が設けられている。なお、回転軸９は、レバー１１を用いず、電動、その他の動力により機械的に回転させてもよい。
【００２１】
図３に示すように、農薬収納部６は内部に粉末状農薬が収納され、底面の一部に、計量板７の計量孔７ａへ粉末状農薬を充填するための、所定の大きさの貫通孔６ａが形成されている。貫通孔６ａは、後述する計量板７の計量孔７ａと同一、または、計量孔７ａ以上の孔面積とし、孔形状は円筒くり抜き、四角くり抜き等の任意の形状とできる。
図４に示すように、農薬収納部６の内部には、農薬収納部内の粉末状農薬を貫通孔６ａに流し込むために、回転軸９に固定された撹拌翼１０が設けられている。撹拌翼１０の翼数および形状は任意の形状とできる。また、撹拌翼１０には、農薬収納部６の内底面６ｂに弾性変形しつつ摺接し、貫通孔６ａ部分において内底面６ｂより突出する爪部１０ａを設けることが好ましい。該爪部１０ａは、貫通孔６の部分において、農薬収納部６の内底面６ｂより下部に突出するので、撹拌翼１０の回転により貫通孔６ａの孔内面と接触する。該接触により、この孔内面に付着する粉末状農薬を掻き落とすことができる。
また、農薬収納部６の内部には、湿気による粉末状農薬の凝集を防止するため、乾燥剤等を設置することが好ましい。
【００２２】
農薬収納部６の下部には、計量板７の上面７ｂに弾性変形しつつ摺接し、計量孔７ａ部分において上面７ｂより突出する爪部６ｄを設けることが好ましい。該爪部６ｄは、計量孔７ａにおいて、計量板７の上面７ｂより下部に突出するので、計量板７の回転により計量孔７ａの孔内面と接触する。該接触により、この孔内面に付着する粉末状農薬を掻き落とすことができる。また、爪部６ｄの長さを、農薬排出部８の上面８ｂより下部に突出する長さとすることにより、排出孔８ａの孔内面に付着する粉末状農薬も掻き落とすことができる。
【００２３】
計量板７は、回転軸９に固定され回転軸９と共に回転する。図４に示すように、計量板７の上面７ｂは農薬収納部６の下面６ｃと摺接し、計量板７の下面７ｃは農薬排出部８の上面８ｂと摺接する。なお、本発明において各部材同士が摺接するとは、実際に面同士の一部または全部が接して回転する場合の他、農薬収納部、計量板、農薬排出部の各部材同士が、粉末状農薬が進入しない程度の僅かな間隔を保って回転する場合も含む。
図４に示すように、計量板７は所定容積の計量孔７ａを有する。該計量孔７ａの容積は、該計量孔７ａと農薬収納部下面６ｃと農薬排出部上面８ｂとで形成される空間の容積であり、該容積分の粉末状農薬が一度の操作において計量され排出される量である。計量孔７ａは、上記農薬収納部の貫通孔６ａと同一、または、貫通孔６ａ未満の孔面積とし、孔形状は円筒くり抜き、四角くり抜き等の任意の形状とできる。
【００２４】
図４に示すように、農薬排出部８は底面の一部に、農薬計量手段より粉末状農薬を排出するための、所定の大きさの排出孔８ａが形成されている。排出孔８ａは、上記計量板７の計量孔７ａと同一、または、計量孔７ａ以上の孔面積とし、孔形状は円筒くり抜き、四角くり抜き等の任意の形状とできる。
排出孔８ａを、計量孔７ａ以上の孔面積とし、排出孔８ａの孔内面を計量孔７ａの孔内面よりも外側に位置させることにより、計量孔７ａ中の粉末状農薬が、排出孔８ａの孔内面に接触しにくくなり、該孔内面に付着することを防止できる。
図１および図３に示すように、計量板７は農薬排出部８に摺動可能に嵌め込まれ、農薬収納部６と農薬排出部８とがネジ等で直接連結される。また、農薬排出部８と筒状体２とは、管状部材１２によって連結され、農薬排出部８の排出孔８ａから排出された粉末状農薬が、管状部材１２を通って筒状体２の投入口２ｃより筒状体内部に投入され蓄積される。
【００２５】
計量板７は回転軸９の回転に伴い回動し、該計量板７の計量孔７ａが、農薬収納部６の貫通孔６ａおよび農薬排出部８の排出孔８ａと、それぞれ異なるタイミングで一時的に連通する。回転軸の回転に伴い連通状態は以下の（１）〜（３）のように変化する。
（１）計量板７の計量孔７ａが貫通孔６ａと連通したときに、農薬収納部６内の粉末状農薬が、撹拌翼１０により貫通孔６ａに流し込まれ、計量孔７ａに充填される。
（２）計量板７の計量孔７ａが貫通孔６ａおよび排出孔８ａのいずれとも連通しないときに、該計量孔７ａと農薬収納部下面６ｃと農薬排出部上面８ｂとで形成される容積、すなわち計量孔の容積分の粉末状農薬がすりきられて計量される。
（３）計量板７の計量孔７ａが排出孔８ａと連通したときに、該排出孔８ａから粉末状農薬が排出されて、筒状体２の投入口２ｃから筒状体内部に該粉末状農薬が投入される。
回転軸の回転に伴う以上の工程により、粉末状農薬を計量孔７ａの容積分だけ正確に計量して筒状体２内部に投入することができる。よって、該農薬計量手段４を用いることにより、作業者が人為的にスプーン等で粉末状農薬を投入する場合よりも、農薬を正確に所定量計量することができる。また、作業者が農薬を吸引する等の危険性もなくなる。
【００２６】
ダクト内に本発明の農薬散布装置を取り付ける方法を図５に基づいて説明する。図５は、農薬散布装置をダクト内に取り付けた状態の斜視図である。
図５に示すように、農薬散布装置１は、支持部材１３により地面上から支持され、少なくとも筒状体２がダクト１４内部に位置するように固定される。管状部材１２の長さを調整することで、ダクト１４内部でダクト断面における任意の高さ位置に筒状体２を固定できる。ここで筒状体２の高さ位置は、ダクト内の風速、ダクト径等に対応して適宜決定する。また、筒状体２は、該ダクト１４内に送り込まれる風の前後方向（図中矢印）に開口部２ａおよび２ｂが位置するように固定される。
【実施例】
【００２７】
実施例：
図６に示すように、送風機１５にダクト１４（φ320mm）を取り付け、その送風機１５近傍に本発明の農薬散布装置１を取リ付け、粉末状農薬（ボトキラー水和剤（出光興産株式会社製））を筒状体に 5 g 投入し、送風前、送風１分後、送風５分後の農薬飛散状況を確認した。結果を図７〜図９に示す。図７は送風前の農薬飛散状況を、図８は送風１分後の農薬飛散状況を、図９は送風５分後の農薬飛散状況をそれぞれ示すグレースケールの写真図である。
なお、筒状体はポリ塩化ビニル樹脂製で、長さ Ｌ が118mm、風の上流側開口部がφ60mm、中央部および風の下流側開口部がφ51mmであり、板状体はポリスチレン樹脂製で、55mm × 35mm の長方形形状であり、紐状体はナイロン製で、長さが170mm である。また、農薬散布装置１は、筒状体がダクトの筒断面において中心付近の高さとなるように取り付けた。
【００２８】
比較例：
実施例と同様に送風機にダクトを取り付け、その送風機近傍のダクト内に直接、粉末状農薬（ボトキラー水和剤（出光興産株式会社製））を 5 g 投入し、送風前、送風１分後、送風５分後の農薬飛散状況を確認した。結果を図１０〜図１２に示す。図１０は送風前の農薬飛散状況を、図１１は送風１分後の農薬飛散状況を、図１２は送風５分後の農薬飛散状況をそれぞれ示すグレースケールの写真図である。
【００２９】
従来のダクト内投入散布法である比較例では、図１２に示すように送風５分後でも粉末状農薬が飛散せずにダクト内底部に残っている。これに対して、本発明の農薬散布装置を用いた場合では、図９に示すように送風５分後には完全に飛散が終わった状態であった。また、図８および図１１に示すように、送風１分後においても比較例は実施例よりも飛散量が少なかった。
【産業上の利用可能性】
【００３０】
本発明の農薬散布装置は、投入口周囲のダクト底部で粉末状農薬が堆積し付着することを防止でき、該粉末状農薬を無駄なく散布することでその使用量を軽減できるので、ハウス栽培に用いられる農薬のダクト内投入散布法用の装置として好適に利用できる。
【図面の簡単な説明】
【００３１】
【図１】本発明の農薬散布装置の全体斜視図である。
【図２】農薬散布装置における筒状体の別方向からの斜視図である。
【図３】本発明の農薬散布装置の分解斜視図である。
【図４】農薬散布装置における農薬計量手段の断面図である。
【図５】農薬散布装置をダクト内に取り付けた状態の斜視図である。
【図６】本発明の農薬散布装置を用いた農薬飛散試験装置の概略図である。
【図７】実施例における送風前の農薬飛散状況を示す写真図である。
【図８】実施例における送風１分後の農薬飛散状況を示す写真図である。
【図９】実施例における送風５分後の農薬飛散状況を示す写真図である。
【図１０】比較例における送風前の農薬飛散状況を示す写真図である。
【図１１】比較例における送風１分後の農薬飛散状況を示す写真図である。
【図１２】比較例における送風５分後の農薬飛散状況を示す写真図である。
【符号の説明】
【００３２】
１  農薬散布装置
２  筒状体
３  粉末状農薬離散手段
４  農薬計量手段
５  粉末状農薬
６  農薬収納部
７  計量板
８  農薬排出部
９  回転軸
１０  撹拌翼
１１  レバー
１２  管状部材
１３  支持部材
１４  ダクト
１５  送風機
【図１】
2007097531.tif 000003
【図２】
2007097531.tif 000004
【図３】
2007097531.tif 000005
【図４】
2007097531.tif 000006
【図５】
2007097531.tif 000007
【図６】
2007097531.tif 000008
【図７】
2007097531.tif 000009
【図８】
2007097531.tif 000010
【図９】
2007097531.tif 000011
【図１０】
2007097531.tif 000012
【図１１】
2007097531.tif 000013
【図１２】
2007097531.tif 000014